(57)【要約】      （修正有）【課題】送信部から受信部へと無線により画像データを送信しても、受信部側で画像を処理するタイミングを調整することができる送信装置及び画像形成装置を提供する。【解決手段】画像形成装置１０は、画像を取得する読取部４５０が取得した画像の画像信号であって、送信部４７０が無線により送信した画像信号を受信する受信部２６０と、受信部２６０が受信した画像信号を処理する画像処理部２７０とを有する。受信部２６０が受信した画像信号に基づいて、画像処理部が画像信号の処理に用いるＣＬＫ信号を生成する。【選択図】図１
2018186384.tif 000002
【特許請求の範囲】
【請求項１】
画像を取得する画像取得部が取得した画像の画像信号であって、送信部が無線により送信した画像信号を受信する受信部と、
前記受信部が受信した画像信号を処理する画像処理部と、
を有し、
前記処理部が受信した画像信号に基づいて、前記画像処理部が画像信号の処理に用いるクロック信号を生成する受信装置。
【請求項２】
前記処理部は、前記画像処理部が画像信号を処理する処理単位に前記送信部によってパケット化され、前記送信部により送信された画像信号を処理し、
処理単位でパケット化された画像信号ごとにクロック信号を生成する請求項１記載の受信装置。
【請求項３】
前記処理部は、前記送信部によってパケット化され、クロック情報が埋め込まれた画像信号であって、前記送信部により送信された画像信号を処理し、
画像信号に埋め込まれたクロック情報からクロック信号を生成するクロック信号生成部をさらに有する請求項１記載の受信装置。
【請求項４】
前記受信部は、ＩＥＥＥ８０２．１１ａｄで規格化されたＷｉＧｉｇを通じて前記送信部から画像信号を受信する請求項１乃至３いずれか記載の受信装置。
【請求項５】
原稿を読み取る原稿読取部と、
前記原稿読取部で読み取った原稿の画像信号を送信する送信部と、
前記送信部が送信した画像信号を受信する受信部と、
前記受信部が受信した画像信号を処理する画像処理部と、
前記画像処理部が処理した画像信号を用いて画像を形成する画像形成部と、
を有し、
前記受信部が受信した画像信号に基づいて、前記画像処理部が画像信号の処理に用いるクロック信号を生成する画像形成装置。
【発明の詳細な説明】
【技術分野】
【０００１】
本発明は、受信装置及び画像形成装置に関する。
【背景技術】
【０００２】
特許文献１には、筐体と、前記筐体に対して可動する可動部材と、前記可動部材に取り付けられ、無線で通信を行う無線通信素子と、前記無線通信素子と無線で送受信を行う送受信部と、前記可動部材が前記筐体内に位置している状態で、前記無線通信素子と前記送受信部との通信を遮蔽する遮蔽部と、を有する検知装置であって、前記可動部材の動作により、前記無線通信素子が前記筐体外に露出することで、前記無線通信素子と前記送受信部間の通信が可能なモードと、前記無線通信素子が前記筐体内に入ることで、前記無線通信素子と前記送受信部間の通信が不可能となるモードを持つことで、前記検知装置の状態を検知することを特徴とする検知装置が記載されている。
【０００３】
特許文献２には、画像処理に関する制御を行う複数の機能ユニットにより構成される画像形成装置であって、各機能ユニットは、画像形成装置に搭載可能な機能のうちの１以上の制御を行う制御手段と、他の機能ユニットと超広帯域無線により画像データの通信を行う通信手段とを備えることを特徴とする画像形成装置が記載されている。
【先行技術文献】
【特許文献】
【０００４】
【特許文献１】特開２００７−３３３４１１号公報
【特許文献２】特開２００８−２３６０９４号公報
【発明の概要】
【発明が解決しようとする課題】
【０００５】
送信部から受信部へと無線によって画像信号を送信すると、送信部側の動作と受信部側の動作とが非同期となり、受信部側で画像信号を処理するタイミングの調整ができなくなる虞がある。
【０００６】
本発明は、送信部から受信部へと無線により画像データを送信しても、受信部側で画像を処理するタイミングを調整することができる送信装置及び画像形成装置を提供することを目的とする。
【課題を解決するための手段】
【０００７】
請求項１に係る本発明は、画像を取得する画像取得部が取得した画像の画像信号であって、送信部が無線により送信した画像信号を受信する受信部と、前記受信部が受信した画像信号を処理する画像処理部と、を有し、前記処理部が受信した画像信号に基づいて、前記画像処理部が画像信号の処理に用いるクロック信号を生成する受信装置である。
【０００８】
請求項２に係る本発明は、前記処理部は、前記画像処理部が画像信号を処理する処理単位に前記送信部によってパケット化され、前記送信部により送信された画像信号を処理し、処理単位でパケット化された画像信号ごとにクロック信号を生成する請求項１記載の受信装置である。
【０００９】
請求項３に係る本発明は、前記処理部は、前記送信部によってパケット化され、クロック情報が埋め込まれた画像信号であって、前記送信部により送信された画像信号を処理し、画像信号に埋め込まれたクロック情報からクロック信号を生成するクロック信号生成部をさらに有する請求項１記載の受信装置である。
【００１０】
請求項４に係る本発明は、前記受信部は、ＩＥＥＥ８０２．１１ａｄで規格化されたＷｉＧｉｇを通じて前記送信部から画像信号を受信する請求項１乃至３いずれか記載の受信装置である。
【００１１】
請求項５に係る本発明は、原稿を読み取る原稿読取部と、前記原稿読取部で読み取った原稿の画像信号を送信する送信部と、前記送信部が送信した画像信号を受信する受信部と、前記受信部が受信した画像信号を処理する画像処理部と、前記画像処理部が処理した画像信号を用いて画像を形成する画像形成部と、を有し、前記受信部が受信した画像信号に基づいて、前記画像処理部が画像信号の処理に用いるクロック信号を生成する画像形成装置である。
【発明の効果】
【００１２】
請求項１に係る本発明によれば、送信部から受信部へと無線により画像データを送信しても、受信部側で画像を処理するタイミングを調整することができる送信装置を提供することができる。
【００１３】
請求項２に係る本発明によれば、クロック信号を生成するクロック信号生成部を用いる技術と比較して、装置構成を簡単にすることができる。
【００１４】
請求項３に係る本発明によれば、パケット化された画像信号ごとにクロック信号を生成する技術と比較して、確実にクロック信号を生成することができる。
【００１５】
請求項４に係る本発明によれば、ＷｉＧｉｇ以外を通じて受信部がデータを受信する技術と比較して、データの送信を高速とすることができる。
【００１６】
請求項５に係る本発明によれば、送信部から受信部へと無線により画像データを送信しても、受信部側で画像を処理するタイミングを調整することができる画像形成装置を提供することができる。
【図面の簡単な説明】
【００１７】
【図１】本発明の実施形態で用いられる画像形成装置の概略構成を示す図である。
【図２】図１に示す画像形成装置が有する出力部と、送信部と、受信部と、画像処理部とを模式的に示す図である。
【図３】図１に示す画像形成装置におけるクロック信号の生成の第一の例を説明する図である。
【図４】図１に示す画像形成装置におけるクロック信号生成の第二の例を説明する図である。
【発明を実施するための形態】
【００１８】
以下、本発明の実施形態について図面を参照して詳細に説明する。図１は、本発明の第一の実施形態で用いられる画像形成装置１０の一例を示す図である。図１に示すように、画像形成装置１０は、出力装置１００と、原稿読取装置４００とを有する。
【００１９】
出力装置１００は、例えば用紙等の記録媒体に画像を出力する装置であって、出力装置本体１１０を有し、出力装置本体１１０の上側の面が、画像の形成された記録媒体が排出される排出部１１２として用いられている。また、出力装置本体１１０内には、記録媒体に画像を形成する画像形成部１３０が配置されている。
【００２０】
画像形成部１３０は、後述する画像処理部２７０が処理した画像信号を用いて画像を形成するものであり、例えば電子写真方式を用いて、例えば単色の画像を形成する。また、画像形成部１３０は、像保持体として用いられている感光体ドラム１３２と、感光体ドラム１３２を帯電する帯電装置１３４と、感光体ドラム１３２の表面に静電潜像を形成する潜像形成部１３４と、潜像を現像してトナー像とする現像装置１３６と、トナー像を記録媒体に転写する転写装置１３８と、感光体ドラム１３２の表面を清掃する清掃装置１４２と、記録媒体にトナー像を定着させる定着装置１４４とを有する。
【００２１】
以上の説明においては、電子写真方式を採用した構成を例として示して画像形成部１３０を説明したものの、画像形成部１３０は、例えばインクジェット方式等、電子写真以外の方式を採用したものであってもよい。また、以上の説明においては、単色の画像を形成する構成を例として画像形成部１３０を説明したものの、画像形成部１３０は、多色の画像を形成する構成としてもよい。
【００２２】
出力装置本体１１０内には、供給装置２００がさらに配置されている。供給装置２００は、収納部２０２に収納された記録媒体を、供給ロール２０４を用いて画像形成部１３０へと供給する。
【００２３】
また、出力装置本体１１０内には搬送路２３０が形成されている。搬送路２３０は、供給装置２００から転写装置１３８へと記録媒体を送信し、さらには定着装置１４４へと記録媒体を搬送し、さらには排出部１１２へと記録媒体を排出するように記録媒体を搬送する。
【００２４】
出力装置本体１１０内には、搬送路２３０に沿って、記録媒体搬送方向における上流側から順に、先述の供給ロール２０４と、レジストロール２３２と、先述の転写装置１３８と、先述の定着装置１４４と、排出ロール２３４とが配置されている。
【００２５】
レジストロール２３２は、記録媒体の先端の移動を一時的に停止させ、画像形成部１３０が画像を形成するタイミングに一致させるように、記録媒体の先端の移動を再開させる。
【００２６】
排出ロール２３４は、定着装置１４４によってトナー像が定着された記録媒体を排出部１１２へと排出する。
【００２７】
出力装置本体１１０内には、受信部２６０がさらに配置されている。受信部２６０は、後述する送信部４７０が送信した画像信号を受信する。
【００２８】
出力装置本体１１０内には、画像処理部２７０がさらに配置されている。画像処理部２７０は、受信部２６０が受信した画像信号を処理する。また、画像処理部２７０が処理した画像信号を用いて、例えば潜像形成部１３４等の画像形成部１３０が画像を形成する。尚、画像処理部２７０の詳細は後述する。
【００２９】
原稿読取装置４００は、原稿読取装置本体４０２を有し、原稿読取装置本体４０２の上側の面が、読取が終わった原稿が排出される排出部４０４として用いられている。また、原稿読取装置４００は、読取前の原稿を支持する支持部４０６をさらに有する。
【００３０】
原稿読取装置本体４０２内には、搬送路４１０が形成されている。搬送路４１０は、例えば複数の搬送部材４１２を用いて、支持部４０６に支持された原稿を読取位置Ｐまで搬送し、読取位置Ｐまで搬送された原稿を排出部４０４へとさらに搬送する。
【００３１】
原稿読取装置本体４０２内には、光源４２０と、集光部４２２と、読取部４５０とがさらに配置されている。光源４２０は、原稿の読取位置Ｐを通過中の部分に光を照射する。集光部４２２は、例えばレンズ等の光学部品を備え、光源４２０から発せられ、原稿の表面で反射された光を読取部４５０へと集める。
【００３２】
読取部４５０は、原稿を読み取る原稿読取部の一例であるとともに、画像を取得する画像取得部の一例であり、所謂イメージセンサであって、例えば、ＣＣＤ（Charge  Coupled Device）、ＣＩＳ（Contact Image Sensor）、ＢＢＤ（Bucket Brigade Device）などを用いることができる。
【００３３】
原稿読取装置本体４０２内には、出力部４６０がさらに配置されている。出力部４６０としては、アナログフロントエンド（Analog Front End）を用いことができ、出力部４６０は、読取部４５０から入力された画像信号をアナログ信号からデジタル信号に変換して出力する。
【００３４】
原稿読取装置本体４０２内には、送信部４７０がさらに配置されている。送信部４７０は、出力部４６０でデジタル信号に変換された画像信号を無線を用いて受信部２６０に送信する。
【００３５】
図２には、出力部４６０と、送信部４７０と、受信部２６０と、画像処理部２７０とが示されている。出力部４６０は、先述のようにデジタル信号に変換された画像信号とＣＬＫ信号（クロック信号）とを出力し、送信部４７０は、先述のように画像信号を送信する。
【００３６】
ここで、送信部４７０が、出力部４６０が出力する単位や順序のままで画像信号を送信すると、出力部４６０が出力した単位や順序のままの画像信号を画像処理部２７０が処理することになる。このような場合、画像処理部２７０での処理の単位となる１ライン分の画像信号の送信の完了や、１つのタイル分の画像信号の送信の完了までに時間を要し、画像処理部２７０による画像処理の速度や効率が低下する虞がある。このため、画像形成装置１０においては、送信部４７０が、画像処理部２７０の信号処理方式に応じて画像信号をパケット化し、パケット単位で画像信号を送信している。
【００３７】
ここで、画像処理部２７０には、画像を点単位で処理するように構成したり、画像をライン単位で処理するように構成したり、画像をタイル単位で処理するように構成したりできるものの、以下、画像処理部２７０が、例えば主走査方向等に伸びるライン単位で画像信号を処理するように構成されていて、これに合わせるように、送信部４７０が主走査方向等に伸びるライン単位で画像信号を送信する構成を例として説明をする。
【００３８】
送信部４７０から受信部２６０への画像信号の無線による送信は、例えば、ＷｉＧｉｇを通じてなされる。ここで、ＷｉＧｉｇとは、ＩＥＥＥ８０２．１１ａｄで規格化された短距離の高速デジタル無線通信であり、周波数６０ギガヘルツのミリ波の電波を利用し、通信速度は最大７Ｇｂｐｓと高速である。
【００３９】
受信部２６０は、先述のように、送信部４７０が送信した画像信号を受信する。また、受信部２６０は、送信部４７０との通信を、例えば、ＷｉＧｉｇを通じて行う。
【００４０】
画像処理部２７０としては、例えば、ＡＳＩＣ（application specific integrated circuit）やＣＰＵ（central processing unit）を用いることができる。画像処理部２７０は、例えば、画像信号のからのノイズ除去、点処理、誤差拡散処理、エッジ処理、シャープネス処理等の画像処理を行う。
【００４１】
以上ように構成された画像形成装置１０においては、データがパケット化され、送信部４７０から受信部２６０へと無線により送信される。このため、出力部４６０及び送信部４７０側（原稿読取装置４００側）の動作と、受信部２６０及び画像処理部２７０側（出力装置１００側）の動作とが同期しなくなり、画像処理部２７０で画像信号を処理するタイミングの調整ができなくなる虞がある。このため、画像形成装置１０においては、画像処理部２７０での画像信号の処理に用いられるＣＬＫ信号を受信部２６０側で生成し、画像処理部２７０が画像を処理するタイミングを調整できるようにしている。
【００４２】
図３は、画像形成装置１０の出力装置１００側におけるＣＬＫ信号の生成の第一の例を説明する図である。図３に示すように、画像処理部２７０には、送信部４７０でライン単位にパケット化して送信され、受信部２６０で受信された画像信号であるラインデータがラインデータＬ１、ラインデータＬ２、ラインデータＬ３、ラインデータＬ４とのように順番に入力され、入力されたデータを画像処理部２７０が処理する。
【００４３】
また、上述のラインデータＬ１、ラインデータＬ２、ラインデータＬ３、ラインデータＬ４等の受信部２６０が受信した画像信号に基づいて、画像処理部２７０で画像信号の処理に用いられるＣＬＫ信号が生成され、このＣＬＫ信号が画像処理部２７０に入力される。より具体的には、ラインデータＬ１、ラインデータＬ２、ラインデータＬ３、ラインデータＬ４等の送信部４７０により処理単位でパケット化された画像信号ごとにＣＬＫ信号が生成され、このＣＬＫ信号が画像処理部２７０に入力される。
【００４４】
この第一の例においては、画像処理部２７０として、ＡＳＩＣ等のハードウエアによる処理をする構成を採用した場合は、ＣＬＫ信号を逓倍して画像処理等の処理に用いるには、非同期回路であるため同期化の処理が必要になる。一方において、画像処理部２７０としてＣＵＰを用いて、ＣＰＵでソフトウエアを実行する処理を採用した場合には、画像処理におけるＣＬＫの概念がない。このため、この第一の例は、画像処理部２７０にＣＰＵを採用する構成に適している。
【００４５】
図４は、画像形成装置１０の出力装置１００側におけるＣＬＫ信号の生成の第二の例を説明する図である。図４に示すように、この第二の例においては、画像形成装置１０は、出力装置１００側に、例えばＣＬＫ生成回路を用いることができるＣＬＫ生成部２８０を有する。
【００４６】
また、この第二の例では、ＣＬＫ情報（クロック情報）が埋め込まれ、送信部４７０によって処理単位ごとにパケット化され、送信された画像信号が、画像処理部２７０によって処理される。また、画像信号に埋め込まれたＣＬＫ情報からＣＬＫ生成部２８０がＣＬＫ信号を生成し、ＣＬＫ生成部２８０が生成したＣＬＫ信号が画像処理部２７０に入力される。
【００４７】
この第二の例においては、ＣＬＫ生成部２８０を設けることを要し、構成が複雑になる虞がある。また、ＣＬＫ信号の処理速度よりも画像信号が遅い場合には、データが空となって、画像処理部２７０等における処理に空きが生じないように、例えば、ダミーのデータを挿入する等の対策が必要になることがある。
【００４８】
一方において、画像処理部２７０として、ＡＳＩＣ等のハードウエアによる処理をする構成を採用した場合は、動作が確実であるとの利点がある。このため、この第二の例は、画像処理部２７０にＡＳＩＣを採用する構成に適している。
【符号の説明】
【００４９】
１０：画像形成装置
１００：出力装置
２６０：受信部
２７０：画像処理部
２８０：ＣＬＫ生成部
４００：原稿読取装置
４５０：読取部
４６０：出力部
４７０：送信部
【図１】
2018186384.tif 000003
【図２】
2018186384.tif 000004
【図３】
2018186384.tif 000005
【図４】
2018186384.tif 000006